(57)【要約】  本発明はゴルフパターヘッドに関し、パッティングの時ヘッドの前面を利用してゴルフボールを打撃するゴルフパターヘッドにおいて、前記ゴルフパターヘッドは前記ヘッドの後面下端で突出して延長された下部ガイドと、前記下部ガイドの上方向に所定距離離間されて空間部を形成するように、前記ヘッドの後面から突出して延長される上部ガイドと、前記空間部内に一端が挿入されて、固定部材によって前記空間部内で回動可能に固定される回動テール部とを含み、前記回動テール部の回転角度を調節することができるように回動量調節構造が形成され、前記回動テール部の回転角度によって前記ヘッドの重量中心が可変され、前記回動テール部は前記固定部材によって固定される一端の角がラウンド処理された棒状に形成されることを特徴とする。
2013504402.tif 000002
【特許請求の範囲】
【請求項１】
パッティングの時、ヘッド（２１０）の前面を利用してゴルフボールを打撃するゴルフパターヘッドにおいて、前記ゴルフパターヘッドは、
前記ヘッド（２１０）の後面下端で突出して延長された下部ガイド（２２０）と、
前記下部ガイド（２２０）の上方向に所定距離離間されて空間部（２３０）を形成するように、前記ヘッド（２１０）の後面から突出して延長される上部ガイド（２４０）と、
前記空間部（２３０）内に一端が挿入されて固定部材（２５０）によって前記空間部（２３０）内で回動可能に固定される回動テール部（２６０）と、を含み、
前記回動テール部（２６０）の回転角度を調節することができるように、回動量調節構造が形成され、前記回動テール部（２６０）の回転角度によって前記ヘッドの重量中心が可変され、前記回動テール部（２６０）は前記固定部材（２５０）によって固定される一端の角がラウンド処理された棒状に形成されることを特徴とするゴルフパターヘッド。
【請求項２】
前記回動量調節構造は、ラウンド処理された前記回動テール部（２６０）の一端周囲に同間隔に形成された凹溝（４２０）と、
前記空間部（２３０）の内部側面中央に形成された溝（４３０）と、
前記溝（４３０）に挿入される弾性部材（２８０）と、
前記溝（４３０）に挿入され、前記弾性部材（２８０）によって前記凹溝（４２０）に密着されるボール（２７０）と、を含み、
前記ボール（２７０）が前記回動テール部（２６０）の回転の時ストッパの役割を果たすことを特徴とする請求項１に記載のゴルフパターヘッド。
【請求項３】
前記凹溝（４２０）は前記回動テール部（２６０）がヘッド（２１０）の後面に対して水平方向、垂直方向及び対角線方向の３方向に回転するように配置されることができるように３つ形成されることを特徴とする請求項２に記載のゴルフパターヘッド。
【請求項４】
前記回動テール部（２６０）の他端のそれぞれに追加的荷重を提供するように加重部（４１０）が形成されることを特徴とする請求項１に記載のゴルフパターヘッド。
【発明の詳細な説明】
【技術分野】
【０００１】
本発明はゴルフパターヘッドに関し、さらに詳しくは回動テール部の回転角度によってブレード型パターヘッド、マレット型パターヘッドまたは２ボール型パターヘッドに変形可能なゴルフパターヘッドに関する。
【背景技術】
【０００２】
ゴルフは、コース上に静止しているゴルフボールを杖のようなクラブで打って決まったホールに入れるまでの打数によって優劣を競う競技であって、ゴルフコースは平野・丘陵・山林など６６万〜１００万ｍ２の広い地域を利用して整形され、浜辺に作られるシーサイドコースと内陸に作られるインランドコースに分けることができる。
【０００３】
このように老若男女を問わず野外で楽しむことができるゴルフで打数を減らす方法の一つは自分に合うゴルフクラブ、特に、パター（ｐｕｔｔｅｒ）を使用することである。
【０００４】
一方、前述したパター（ｐｕｔｔｅｒ）には多様な種類があるが、ヘッドの形状に合わせて大きくブレードやアンサーと呼ばれる「一」字状のパターと、マレット型と２ボールパターと呼ばれる「半月」状のパターに分けることができる。
【０００５】
図１は前述したパターの中のブレード型パターヘッドの斜視図で、ブレードパターは重量をヘッドのトゥーとヒールの方に分散させて、スイートスポット（ｓｗｅｅｔ  ｓｐｏｔ、ヘッドフェースでゴルフボールを打つ最適点を言う。ここにゴルフボールが当たれば理想的な打球ができるように設計されている）を広くする。
【０００６】
次に、図２は前述したパターの中のマレット型パターヘッドの斜視図で、マレット型パターはヘッドの大きさが後方へ幅が長くなった形態で、視覚的に安定されたアドレス（ａｄｄｒｅｓｓ、プレーヤーがゴルフボールを打つために足の位置を決めてヘッドを地面に置いてままの状態であり、普通はゴルフボールにフェースを近づけて狙うことを言う）を作るのに效果的で、ヘッドの後方に移動された重量中心とトゥーとヒールの方に分散された重量によってブレードパターに比べて約３０〜４０％向上された慣性モーメントは広いスイートスポットを作って安定されたパッティングストロークを提供する。
【０００７】
一方、図３は前述したパターの中の２ボールパターヘッドの斜視図で、２ボールパターはヘッドに２つの円形を描いて、このような２つの円形が実際のゴルフボールと一緒に一つのライン上に整列されるようにすることでパッティングライン（ｐｕｔｔｉｎｇ  ｌｉｎｅ、グリーン上でゴルフボールとホールを連結する線）の整列やアドレスが簡便にできるようにして、パッティング（ｐｕｔｔｉｎｇ、グリーンでゴルフボールをホールに入れるためにストロークすること）の的中率を高めるのに寄与することができる。
【０００８】
このように大体「一」字状と「半月」状に分けられるパターは、それぞれの特徴によって、「一」字状のパターの場合、ストロークが安定され、方向性の優れたゴルファーに有利で、「半月」状のパターの場合、ヘッドが長くてゴルフボールを当てやすく、重量中心がフェース（ｆａｃｅ、パターの打球面）から遠くて素人に有利である。
【０００９】
しかし、前述したように、ゴルファーの実力によって自分に有利なパターが異なるので、ゴルフの実力が向上されるにつれてパターの交換も不可避であり、結局パターの交換による費用負担が増加する問題点があった。
【００１０】
また、素人の場合、自分に合うパターを決めるために各種のパターを全部所持した状態で、パッティング練習をするしかなく、練習の時、随時にパターを交換しなければならないという不便がある。
【発明の概要】
【発明が解決しようとする課題】
【００１１】
本発明の目的は、前記のような諸般問題点を解決するために、回動量調節構造によって回動テール部を３方向（ヘッドの後面に対して水平、垂直、対角線方向）に回転配置することによってヘッドの重量中心を可変して、ブレード型、マレット型、２ボール型パターに変形することができるゴルフパターヘッドを提供することにある。
【課題を解決するための手段】
【００１２】
前記目的を達するために、本発明によるゴルフパターヘッドは、パッティングの時、ヘッドの前面を利用してゴルフボールを打撃するゴルフパターヘッドにおいて、前記ゴルフパターヘッドは前記ヘッドの後面下端で突出して延長された下部ガイドと、前記下部ガイドの上方向に所定距離離間されて空間部を形成するように前記ヘッドの後面から突出して延長される上部ガイドと、前記空間部内に一端が挿入されて、固定部材によって前記空間部内で回動可能に固定される回動テール部とを含み、前記回動テール部の回転角度を調節することができるように回動量調節構造が形成され、前記回動テール部の回転角度によって前記ヘッドの重量中心が可変され、前記回動テール部は前記固定部材によって固定される一端の角がラウンド処理された棒状に形成されることを特徴とする。
【００１３】
前記回動量調節構造は、ラウンド処理された前記回動テール部の一端周囲に同間隔に形成された凹溝と、前記空間部の内部側面中央に形成された溝と、前記溝に挿入される弾性部材と、前記溝に挿入され、前記弾性部材によって前記凹溝に密着されるボールとを含み、前記ボールが前記回動テール部の回転の時ストッパの役割を果たすことを特徴とする。
【００１４】
前記凹溝は前記回動テール部がヘッドの後面に対して水平方向、垂直方向及び対角線方向の  ３方向に回転配置されることができるように３つ形成されることを特徴とする。
【００１５】
前記回動テール部の他端のそれぞれに追加的荷重を提供するように加重部が形成されることを特徴とする。
【発明の効果】
【００１６】
以上の説明から分かるように、本発明のゴルフパターヘッドは回動テール部の位置（即ち、ヘッドの後面に対して水平、対角線、垂直方向）によって使用者が選択的にブレード型、マレット型、２ボール型パターに変形して使うことができて、一つのパターで３種類のパターを所有する效果を奏することができるので、パターの交換による費用負担の問題を解決することができる效果を奏する。
【００１７】
また、本発明を利用することによって、自分に合うパターを決めるために、パッティング練習の時、パターをいろいろ交換しなければならない不便を解消することができる效果を奏する。
【図面の簡単な説明】
【００１８】
【図１】前述したパターの中のブレード型パターヘッドの斜視図である。
【図２】前述したパターの中のマレット型パターヘッドの斜視図である。
【図３】前述したパターの中の２ボールパターヘッドの斜視図である。
【図４】本発明の好ましい実施形態によるゴルフパターヘッドの分解斜視図である。
【図５】本発明のゴルフパターヘッドで下部ガイドと上部ガイドの形成例を示した斜視図である。
【図６】本発明のゴルフパターヘッドで回動テール部及び回動量調節構造を示した断面図である。
【図７】本発明をブレード型パターとして使用する場合を示した部分切断斜視図である。
【図８】本発明をマレット型パターとして使用する場合を示した部分切断斜視図である。
【図９】本発明を２ボール型パターとして使用する場合を示した部分切断斜視図である。
【発明を実施するための形態】
【００１９】
以下では、添付した図面を参照して本発明によるゴルフパターヘッドの好ましい実施形態について詳細に説明する。
【００２０】
図４は本発明の好ましい実施形態によるゴルフパターヘッドの分解斜視図である。
【００２１】
図４に示すように、本発明の好ましい実施形態によるゴルフパターヘッドは、パッティングの時、ヘッド２１０の前面を利用してゴルフボールを打撃するゴルフパターヘッドにおいて、前記ゴルフパターヘッドは、前記ヘッド２１０の後面下端で突出して延長された下部ガイド２２０と、前記下部ガイド２２０の上方向に所定距離離間されて空間部２３０を形成するように前記ヘッドの後面から突出して延長される上部ガイド２４０と、前記空間部２３０内に一端が挿入されて、固定部材２５０によって前記空間部２３０内で回動可能に固定される回動テール部２６０とを含み、前記回動テール部２６０の回転角度を調節することができるように回動量調節構造が形成され、前記回動テール部２６０の回転角度によって前記ヘッド２１０の重量中心が可変されることを特徴とする。
【００２２】
前述したように、本発明のゴルフパターヘッドは、大体ヘッド２１０の後面に形成された上部ガイド２４０及び下部ガイド２２０と、回動量調節構造によって回転角度が調節される回動テール部２６０とを含み、さらに具体的に、各図面を参照して上部ガイド２４０及び下部ガイド２２０と回動テール部２６０について説明する。（図４で示されたボール２７０、弾性部材２８０、ヒンジ孔２９０については後で説明する。）
【００２３】
まず、図５は本発明のゴルフパターヘッドで下部ガイドと上部ガイドの形成例を示した斜視図である。
【００２４】
図５に示すように、下部ガイド２２０はヘッド２１０の後面下端で突出して延長されることが好ましく、特に、下部ガイド２２０は平板状にヘッド２１０の後面下端角から突出して延長されて、結果的にヘッド２１０の底面と前記下部ガイド２２０の底面が平面を成し、中央に後述する固定部材２５０が挿入されることができるように２つのヒンジ孔２９０が所定間隔離間されて穿孔されることが好ましい。
【００２５】
次に、上部ガイド２４０は前記下部ガイド２２０の上方向（ここで下部ガイド２２０の上方向とは、下部ガイド２２０を地面の方向に置いた時その反対方向を言う。）に所定距離離間されて空間部２３０（図４参照）を形成するように前記ヘッド２１０の後面から突出して延長される。ここで前記空間部２３０の高さは後述する回動テール部２６０の高さより若干大きく形成されることが好ましい。
【００２６】
即ち、前記空間部２３０は後述する回動テール部２６０を収納するためのものであるので、回動テール部２６０が空間部の内外に容易に引入または引出されることができるように前記空間部２３０の高さは回動テール部２６０の高さより若干大きく形成されることが好ましい。
【００２７】
次に、図６は本発明のゴルフパターヘッドで回動テール部及び回動量調節構造を示した断面図である。
【００２８】
図６に示すように、回動テール部２６０は前記空間部２３０（図４参照）内に一端が挿入されて固定部材２５０によって空間部２３０内で回動可能に固定され、前記回動テール部２６０は固定部材２５０によって空間部２３０内で固定される一端の角がラウンド処理された棒状に形成され、特に前記回動テール部２６０の回転角度を調節することができるように回動量調節構造が形成される。まず、回動テール部２６０についてさらに具体的に説明した後、回動量調節構造の好ましい実施形態について説明する。
【００２９】
前述したように、回動テール部２６０は棒状で、空間部２３０内に一端が挿入された状態で固定部材２５０によって回動可能に固定される。このように回動テール部２６０が固定部材２５０によって回動可能になることによって、回動テール部２６０の回転角度（回転量）によってヘッド２１０（図４参照）の重量中心を多様に変化させることができる。
【００３０】
同時に、回動テール部２６０の他端のそれぞれには追加的荷重を提供するように加重部４１０がさらに形成されることができる。前記加重部４１０は必要によって前記回動テール部２６０の他端に一体に形成されるか、または着脱可能に結合されてもよい。
【００３１】
次に、回動量調節構造は、ラウンド処理された回動テール部２６０の一端周囲に同間隔に形成された凹溝４２０と、空間部２３０の内部側面の中央に形成された溝４３０と、前記溝４３０に挿入される弾性部材２８０と、前記溝４３０に挿入され、前記弾性部材２８０によって前記凹溝４２０に密着されるボール２７０とを含み、ここで、前記ボール２７０は前記回動テール部２６０の回転の時ストッパの役割を果たし、特に、前記凹溝４２０は前記回動テール部２６０がヘッドの後面に対して水平方向、垂直方向及び対角線方向の３方向に回転配置されることができるように３つ形成されることが好ましい。
【００３２】
以下、回動量調節構造を構成する凹溝４２０、溝４３０、弾性部材２８０、ボール２７０についてさらに詳しく説明する。
【００３３】
まず、凹溝４２０はラウンド処理された回動テール部２６０の一端周囲に同間隔に形成され、凹溝４２０の深さは後述するボール２７０が１／３ぐらい挿入されることができるようにボール２７０の大きさに合わせて形成されることが好ましく、特に、凹溝４２０の数は回動テール部２６０がヘッドの後面に対して水平、垂直、対角線方向の３方向に回転されるように配置されることができるように３つ形成されることが好ましい。
【００３４】
即ち、固定部材２５０が挿入されるヒンジ孔２９０の中心を基準に直角を成すＡ軸とＢ軸を取る時、Ａ軸とＢ軸がそれぞれ凹溝４２０ａ、４２０ｃの底点を通るようにし、その間に一つの凹溝４２０ｂがさらに形成されるようにして、結果的に３つの凹溝４２０：４２０ａ，４２０ｂ、４２０ｃがヒンジ孔２９０の周りに形成されるようにすることが好ましい。
【００３５】
次に、溝４３０は空間部２３０の内部側面中央に形成される。ここで「内部側面中央」とは、空間部２３０を形成する６面の中でヘッド２１０の後面に対応する面の中央を意味し、溝４３０の位置は溝４３０の中心を貫通する軸が下部ガイド２２０のヒンジ孔２９０の中心を貫通する軸と直交する位置が好ましい。
【００３６】
一方、弾性部材２８０は後述するボール２７０に弾性力を提供して、前記回動テール部２６０が回転する時、ボール２７０が前記凹溝４２０に選択的に挿入されながら、一種のストッパの役割を果たすもので、コイルスプリングを具備することが好ましいが、必ずこれに限定されるのではない。
【００３７】
また、ボール２７０は前記溝４３０に挿入されて、前記弾性部材２８０によって前記凹溝４２０に選択的に密着される。前述したように、ストッパの役割を果たすことができるように、耐磨耗性が優れた鋼鉄球で形成されることが好ましい。
【００３８】
一方、図７は本発明をブレード型パターとして使用する場合を示した部分切断斜視図であり、図８は本発明をマレット型パターとして使用する場合を示した部分切断斜視図であり、図９は本発明を２ボール型パターとして使用する場合を示した部分切断斜視図である。
【００３９】
各図面を参照して本発明をブレード型パター、マレット型パター、２ボール型パターに可変して使用する過程を説明すれば次の通りである。
【００４０】
まず、使用者が本発明をブレード型パターとして使用する時には、図７に示すように、回動テール部２６０をヘッド２１０の後面に対して水平方向になるように（即ち、弾性部材２８０によって加圧されるボール２７０が一番目の凹溝４２０ａに挿入されて密着されるように）  位置させて使用すればよく、使用者が本発明をマレット型パターとして使用する時には、図８に示すように、回動テール部２６０をヘッド２１０の後面に対して対角線方向になるように（即ち、弾性部材２８０によって加圧されるボール２７０が二番目の凹溝４２０ｂに挿入されて密着されるように）位置させて使用すれば良い。
【００４１】
また、使用者が本発明を２ボール型パターとして使用する時には、図９に示すように、回動テール部２６０をヘッド２１０の後面に対して垂直方向になるように（即ち、弾性部材２８０によって加圧されるボール２７０が三番目の凹溝４２０ｃに挿入されて密着されるように）位置させて使用すれば良い。
【００４２】
このように、本発明のゴルフパターヘッドは、回動テール部２６０の位置（即ち、ヘッド２１０の後面に対して水平、対角線、垂直方向）によって使用者が選択的にブレード型、マレット型、２ボール型パターに変形して使うことができて、一つのパターで３種類のパターを所有する效果を得ることができるので、パターの交換による費用負担の問題を解決することができるとともに、自分に合うパターを決めるためにパッティング練習の時にもパターをいろいろ交換しなければならない不便を解消することができる。
【００４３】
以上で説明した本発明は、発明が属する技術分野において通常の知識を有する者にとって本発明の技術的思想を逸脱しない範囲内で様々に置換変形及び変更が可能であるので、前述した実施形態及び添付された図面に限定されるのではない。
（産業上の利用可能性）
【００４４】
本発明はゴルフパターヘッドであって、回動テール部の位置（即ち、ヘッドの後面に対して水平、対角線、垂直方向）によって使用者が選択的にブレード型、マレット型、２ボール型パターに変形して使うことができて、一つのパターで３種類のパターを所有する效果を得ることができるので、パターの交換による費用負担の問題を解決することができる效果があるので、産業上の利用可能性が認められる。
【図１】
2013504402.tif 000003
【図２】
2013504402.tif 000004
【図３】
2013504402.tif 000005
【図４】
2013504402.tif 000006
【図５】
2013504402.tif 000007
【図６】
2013504402.tif 000008
【図７】
2013504402.tif 000009
【図８】
2013504402.tif 000010
【図９】
2013504402.tif 000011
【国際調査報告】
2013504402.tif 000012
2013504402.tif 000013
2013504402.tif 000014
2013504402.tif 000015